(57)【要約】      （修正有）【課題】リフィル時、共通液室から液体供給路への液体供給遅れを低減する液体吐出ヘッドを備えている画像形成装置を提供する。【解決手段】共通液室から液体供給路７０に対しては、液体供給路７０における液体の流れの方向と交差する方向から液体を供給し、共通液室の壁面の内、ノズル配列方向と直交する方向（液室長手方向）で、個別液室に近い側の壁面には、液体供給路７０に向かって漸次広がるように傾斜する傾斜面８０が形成され、共通液室からフィルタ部９を通じて液体供給路７０の液導入部８に液体が供給されるとき、共通液室の傾斜面８０に沿った液体供給路７０における流れに対して鈍角となる液体の流れ３００を発生させる。【選択図】図６
2014172259.tif 000002
【特許請求の範囲】
【請求項１】
液滴を吐出する複数のノズルと、
前記ノズルが通じる複数の個別液室と、
前記複数の個別液室への液体供給路と、
前記複数の液体供給路に通じる共通液室と、を備え、
前記共通液室から前記液体供給路に対して、前記液体供給路における液体の流れの方向と交差する方向から液体を供給し、
前記共通液室の壁面の内、ノズル配列方向と直交する方向で、前記個別液室に近い側の壁面には、前記液体供給路に向かって漸次広がるように傾斜する傾斜面が形成されている
ことを特徴とする液体吐出ヘッド。
【請求項２】
前記傾斜面は、前記液体供給路に通じる側の一部に設けられていることを特徴とする請求項１に記載の液体吐出ヘッド。
【請求項３】
前記共通液室と前記液体供給路との間には液体をろ過するフィルタ部が設けられていることを特徴とする請求項１又は２に記載の液体吐出ヘッド。
【請求項４】
前記フィルタ部を形成するフィルタ部材は、前記共通液室を形成する共通液室部材と接着剤で接合され、
前記フィルタ部材の前記共通液室部材との接合面には接着剤逃がし用の凹部が形成されている
ことを特徴とする請求項３に記載の液体吐出ヘッド。
【請求項５】
前記フィルタ部材は、複層構造の部材であり、
前記フィルタ部を形成する層と異なる層が前記共通液室部材と接合され、
前記共通液室部材と接合される層の接合面に前記凹部が形成されている
ことを特徴とする請求項４に記載の液体吐出ヘッド。
【請求項６】
前記共通液室の壁面の内、ノズル配列方向と直交する方向で、前記個別液室に近い側の壁面の端部付近はＲ面に加工され、
前記凹部の一部には、前記共通部材に形成された前記Ｒ面と対向している箇所がある
ことを特徴とする請求項４又は５に記載の液体吐出ヘッド。
【請求項７】
請求項１ないし６のいずれかに記載の液体吐出ヘッドを備えていることを特徴とする画像形成装置。
【発明の詳細な説明】
【技術分野】
【０００１】
本発明は液体吐出ヘッド、画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてインクジェット記録装置などが知られている。
【０００３】
液体吐出ヘッドとしては、例えば、液滴を吐出する複数のノズルと、ノズルが通じる複数の個別液室と、複数の個別液室への液体供給路と、複数の液体供給路に通じる共通液室とを備え、共通液室から液体供給路に対して、液体供給路における液体の流れの方向と直交する方向から液体を供給するようにし、共通液室と液体供給路との間にフィルタ部材を配置したものが知られている（特許文献１）。
【先行技術文献】
【特許文献】
【０００４】
【特許文献１】特開２０１１−０２５６６３号公報
【発明の概要】
【発明が解決しようとする課題】
【０００５】
しかしながら、上述したように、共通液室から液体供給路に対して液体の流れをほぼ直角に曲げて供給し、更にフィィルタ部材を介在させることで、リフィル時の液体供給が間に合わなくなり、ノズルダウン（吐出不良）につながるという課題がある。
【０００６】
本発明は上記の課題に鑑みてなされたものであり、リフィル時の液体供給遅れを低減することを目的とする。
【課題を解決するための手段】
【０００７】
上記の課題を解決するため、本発明に係る液体吐出ヘッドは、
液滴を吐出する複数のノズルと、
前記ノズルが通じる複数の個別液室と、
前記複数の個別液室への液体供給路と、
前記複数の液体供給路に通じる共通液室と、を備え、
前記共通液室から前記液体供給路に対して、前記液体供給路における液体の流れの方向と交差する方向から液体を供給し、
前記共通液室の壁面の内、ノズル配列方向と直交する方向で、前記個別液室に近い側の壁面には、前記液体供給路に向かって漸次広がるように傾斜する傾斜面が形成されている
構成とした。
【発明の効果】
【０００８】
本発明によれば、リフィル時の液体供給遅れを低減することができる。
【図面の簡単な説明】
【０００９】
【図１】本発明に係る液体吐出ヘッドの一実施形態の説明に供する同ヘッドの外観斜視説明図である。
【図２】図１のＡ―Ａ線に沿うノズル配列方向と直交する方向（液室長手方向）の断面説明図である。
【図３】図１のＢ−Ｂ線に沿うノズル配列方向（液室短手方向）の断面説明図である。
【図４】振動板部材の平面説明図及び要部拡大説明図である。
【図５】本発明の第１実施形態における共通液室の壁面構造の説明に供する共通液室及び液体供給路部分の要部拡大断面説明図である。
【図６】同実施形態の作用説明に供する要部拡大断面説明図である。
【図７】比較例の作用説明に供する要部拡大断面説明図である。
【図８】同実施形態の作用説明に供する要部拡大断面説明図である。
【図９】本発明の第２実施形態における共通液室の壁面構造の説明に供する共通液室及び液体供給路部分の要部拡大断面説明図である。
【図１０】比較例における共通液室の壁面構造の説明に供する共通液室及び液体供給路部分の要部拡大断面説明図である。
【図１１】本発明に係る画像形成装置の一例の説明に供する機構部の側面説明図である。
【図１２】同機構部の要部平面説明図である。
【発明を実施するための形態】
【００１０】
以下、本発明の実施形態について添付図面を参照して説明する。本発明の第１実施形態に係る液体吐出ヘッドについて図１ないし図４を参照して説明する。図１は同ヘッドの外観斜視説明図、図２は図１のＡ―Ａ線に沿うノズル配列方向と直交する方向（液室長手方向）の断面説明図、図３は図１のＢ−Ｂ線に沿うノズル配列方向（液室短手方向）の断面説明図、図４は振動板部材の平面説明図及び要部拡大説明図である。
【００１１】
この液体吐出ヘッドは、ノズル板１と、流路板（液室基板）２と、薄膜部材としての振動板部材３とを積層接合している。そして、振動板部材３を変位させる圧電アクチュエータ１１と、共通流路部材としてフレーム部材２０とを備えている。
【００１２】
ノズル板１、流路板２及び振動板部材３によって、液滴を吐出する複数のノズル４に連なって通じる個別液室６、個別液室６に液体を供給する流体抵抗部７と、流体抵抗部７に通じる液導入部８とを形成している。ここでは、液導入部８及び流体抵抗部７で個別液室６への液体供給路７０を形成している。
【００１３】
そして、フレーム部材２０の共通流路としての共通液室１０から振動板部材３に形成したフィルタ部９を通じて、液導入部８、流体抵抗部７を経て複数の個別液室６に液体を供給する。フィルタ部９には、図４に示すように、液体を通過する多数のフィルタ孔９１が形成されている。そして、フィルタ部９は、補強領域９２が設けられて、２以上の個別流路５に対応する複数のフィルタ領域９Ａに区画されている。
【００１４】
ここで、ノズル板１は、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。ノズル板１には、各液室６に対応して例えば直径１０〜３５μｍのノズル４を形成し、流路板２と接着剤接合している。また、このノズル板１の液滴吐出側面（吐出方向の表面：吐出面、又は液室６側と反対の面）には撥水層を設けている。
【００１５】
流路板２は、単結晶シリコン基板をエッチングして、個別液室６、液体供給路７、液導入部８などを構成する溝部を形成している。なお、流路板２は、例えばＳＵＳ基板などの金属板を酸性エッチング液でエッチングし、あるいはプレスなどの機械加工を行って形成することもできる。
【００１６】
振動板部材３は、流路板２の個別液室６の壁面を形成する壁面部材を兼ねている。この振動板部材３は個別液室６側から第１層３Ａ、第２層３Ｂ、第３層３Ｃの３層（２層又は４層以上でもよい。）からなる複層構造としている。そして、第１層３Ａで個別液室６に対応する部分に変形可能な振動領域３０を形成している。
【００１７】
この振動板部材３は、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。
【００１８】
そして、この振動板部材３の個別液室６とは反対側に、振動板部材３の振動領域３０を変形させる駆動手段（アクチュエータ手段、圧力発生手段）としての電気機械変換素子を含む圧電アクチュエータ１１を配置している。
【００１９】
この圧電アクチュエータ１１は、ベース部材１３上に接着剤接合した複数の積層型圧電部材１２を有し、圧電部材１２にはハーフカットダイシングによって溝加工して１つの圧電部材１２に対して所要数の圧電柱１２Ａ、１２Ｂを所定の間隔で櫛歯状に形成している。
【００２０】
圧電部材１２の圧電柱１２Ａ、１２Ｂは、同じものであるが、駆動波形を与えて駆動させる圧電柱を駆動圧電柱（駆動柱）１２Ａ、駆動波形を与えないで単なる支柱として使用する圧電柱を非駆動圧電柱（非駆動柱）１２Ｂとして区別している。
【００２１】
そして、駆動柱１２Ａを振動板部材３の振動領域３０に形成した島状の厚肉部である凸部３０ａに接合している。また、非駆動柱１２Ｂを振動板部材３の厚肉部である凸部３０ｂに接合している。
【００２２】
この圧電部材１２は、圧電層と内部電極とを交互に積層したものであり、内部電極がそれぞれ端面に引き出されて外部電極が設けられ、駆動柱１２Ａの外部電極に駆動信号を与えるための可撓性を有するフレキシブル配線基板としてのＦＰＣ１５が接続されている。
【００２３】
フレーム部材２０は、例えばエポキシ系樹脂或いは熱可塑性樹脂であるポリフェニレンサルファイト等で射出成形により形成し、図示しないヘッドタンクや液体カートリッジから液体が供給される共通液室１０が形成されている。
【００２４】
このように構成した液体吐出ヘッドにおいては、例えば駆動柱１２Ａに印加する電圧を基準電位から下げることによって駆動柱１２Ａが収縮し、振動板部材３の振動領域３０が下降して個別液室６の容積が膨張することで、個別液室６内に液体が流入する。
【００２５】
その後、駆動柱１２Ａに印加する電圧を上げて駆動柱１２Ａを積層方向に伸長させ、振動板部材３の振動領域３０をノズル４方向に変形させて個別液室６の容積を収縮させることにより、個別液室６内の液体が加圧され、ノズル４から液滴が吐出（噴射）される。
【００２６】
そして、駆動柱１２Ａに印加する電圧を基準電位に戻すことによって振動板部材３の振動領域３０が初期位置に復元し、個別液室６が膨張して負圧が発生するので、このとき、共通液室１０から液体供給路７を通じて個別液室６内に液体が充填される。そこで、ノズル４のメニスカス面の振動が減衰して安定した後、次の液滴吐出のための動作に移行する。
【００２７】
なお、このヘッドの駆動方法については上記の例（引き−押し打ち）に限るものではなく、駆動波形の与えた方によって引き打ちや押し打ちなどを行なうこともできる。
【００２８】
次に、本発明の第１実施形態における共通液室の壁面構造について図５を参照して説明する。図５は共通液室及び液体供給路部分の要部拡大断面説明図である。
【００２９】
まず、共通液室１０から液体供給路７０に対しては、液体供給路７０における液体の流れの方向（矢印３００の方向）と交差する方向から液体を供給している。ここで、共通液室１０から液体供給路７０への液体供給方向は滴吐出方向と同じであり、液体供給路７０における液体の流れの方向は滴吐出方向と直交する方向であって、ノズル配列方向と直交する方向である。
【００３０】
そして、共通液室１０の壁面の内、ノズル配列方向と直交する方向（液室長手方向）で、個別液室６に近い側の壁面には、液体供給路７に向かって漸次広がるように傾斜する傾斜面８０が形成されている。図５の例では、傾斜面８０の傾斜角度θは約１１度に設定している。
【００３１】
このように構成したので、共通液室１０からフィルタ部９を通じて液体供給路７０の液導入部８に液体が供給されるとき、図６に示すように、共通液室１０の傾斜面８０に沿った液体の流れ３０１が発生する。
【００３２】
これにより、共通液室１０から液導入部８に液体が供給されるとき、液導入部８に入った液体の流れが液体供給路７の流れに方向転換するときの抵抗が小さくなり、スムーズに液体供給路７の流れに移行することができる。
【００３３】
すなわち、図７に示すように、共通液室１０から液導入部８に供給される液体の流れ３０２が液体供給路７に沿って直角に方向転換する場合、フィルタ部９があるために抵抗が大きくなり、スムーズに液体供給路７の流れに移行することができない。その結果、リフィル時の供給不足が生じるおそれがある。
【００３４】
これに対し、本実施形態のように、共通液室１０から液導入部８に液体が供給されるとき、傾斜面８０で僅かであっても液体の流れ３０１に傾きが生じて、液体供給路７における流れの方向に対してなす角度が鈍角になることで、方向転換がスムーズに行われる。
【００３５】
したがって、高周波駆動によってリフィル間隔が短くなった場合でも、速やかに共通液室１０から個別液室６に液体を供給することができて、リフィル不足になるノズルダウンなどを生じるおそれがなくなる。
【００３６】
この場合、共通液室１０のフィルタ部９側（液体供給路７０に通じる側）の一部に傾斜面８０を形成することで、壁面全体が傾斜面である場合よりも共通液室１０の減少を少なくすることができる。
【００３７】
また、本実施形態においては、フィルタ部材を兼ねている振動板部材３は、前述したように第１層３Ａないし第３層３Ｃの３層構造であり、第１層３Ａでフィルタ部９を形成している。そして、フィルタ部９を形成する第１層３Ａと異なる第３層３Ｃと共通液室部材であるフレーム部材２０とを接着剤で接合している。
【００３８】
なお、本実施形態では、振動板部材３を、ニッケル（Ｎｉ）の金属プレートから形成したもので、エレクトロフォーミング法（電鋳）で複数層に形成している。そのため、第１層３Ａないし第３層３Ｃの端部はそれぞれオーバーハング部が形成される。
【００３９】
さらに、本実施形態では、フィルタ部９に近接する第３層３Ｃのフィルタ部９側の端部は、第２層３Ｂのフィルタ部９側の端部よりも、液室長手方向で、フィルタ部９から離れた位置に形成されているので、第３層３Ｃのオーバーハング部と第２層３Ｂとの間に空間が形成される。
【００４０】
これにより、フレーム部材２０と振動板部材３を接合する接着剤が、第３層３Ｃのオーバーハング部付近まで流れ出しても、前述した空間内で流れ出した接着剤を逃がすことができるので、フィルタ部９への接着剤の流れ出しを低減することができる。
【００４１】
ここで、フレーム部材２０と接合する第３層３Ｃの接合面に、接着剤逃がし用の凹部８５を形成している。
【００４２】
これにより、図８に示すように、振動板部材３とフレーム部材２０とを接着剤８６で接合するときの余剰接着剤８６Ａを凹部８５に逃がすことができ、余剰接着剤８６Ａがフィルタ部９に侵入してフィルタ孔９１を塞ぐことを防止できる。
【００４３】
そして、余剰接着剤を逃がす凹部８５を振動板部材３側に形成することで、フレーム部材２０と振動板部材３との接合位置ズレが生じた場合のはみ出しを低減できる。つまり、フレーム部材２０側に凹部を形成した場合、接合位置ズレによって凹部が露出して余剰接着剤がフィルタ部９に回り込むおそれがある。
【００４４】
また、本実施形態では、共通液室１０の壁面の内、ノズル配列方向と直交する方向（液室長手方向）で、個別液室６に近い側の壁面の端部付近はＲ面（アール面）８１に加工されている。これにより、フレーム部材２０のＲ面８１に対向した振動板部材３との間の空間で、フィルタ部９側へ流れ出す接着剤を溜めることができ、よりフィルタ部９への接着剤のはみ出しを低減できる。
【００４５】
また、本実施形態では、凹部８５に近いフレーム部材２０の領域に、傾斜面８０が形成されている。傾斜面８０の領域ではフレーム部材２０が切り欠かれている形状であるため、余剰接着剤８６Ａが凹部８５から溢れたとしても、余剰接着剤８６Ａのフィルタ部９へのはみ出しを低減できる。
【００４６】
つまり、フレーム部材２０におけるフィルタ部９に最も近い端部は、切り欠き形状を設けない構成よりも、フィルタ部９から離れた位置に存在するため、フレーム部材２０をつたってフィルタ部９方向へ移動する接着剤がフィルタ部９まではみ出す量を低減できる。
【００４７】
次に、本発明の第２実施形態について図９を参照して説明する。図９は、同実施形態における共通液室の壁面構造の説明に供する共通液室及び液体供給路部分の要部拡大断面説明図である。
【００４８】
本実施形態では、前述した余剰接着剤８６Ａを逃がす凹部８５の一部に前述したフレーム部材２０に形成されたＲ面８１が対向した状態で、フレーム部材２０と振動板部材３が接合される点が第１実施形態と異なる。
【００４９】
つまり、図９に示すように、フレーム部材２０に形成されたＲ面８１が対向した凹部８５の領域では、隙間が形成される。
【００５０】
これにより、フレーム部材２０と振動板部材３とを接着剤８６により接合するときには、隙間から凹部９０内の空気が逃げるため、余剰接着剤８６Ａの凹部８５への侵入が凹部８５内の空気に妨げられず、効率的に余剰接着剤８６Ａを凹部８５に逃がすことができる。
【００５１】
これに対して、図１０に示す本実施形態の比較例では、凹部８５にフレーム部材２０に形成されたＲ面８１が対向していないので、前述した隙間が形成されない。そのため、凹部８５内の空気を逃がすことができず、余剰接着剤８６Ａの凹部８５への侵入が凹部８５内の空気に妨げられて、余剰接着剤８６Ａを十分に凹部８５に逃がすことができない。
【００５２】
次に、本発明に係る液体吐出ヘッドを備える本発明に係る画像形成装置の一例について図１１及び図１２を参照して説明する。図１１は同装置の機構部の側面説明図、図１２は同機構部の要部平面説明図である。
【００５３】
この画像形成装置はシリアル型画像形成装置であり、左右の側板２２１Ａ、２２１Ｂに横架したガイド部材である主従のガイドロッド２３１、２３２でキャリッジ２３３を主走査方向に摺動自在に保持している。そして、図示しない主走査モータによってタイミングベルトを介して矢示方向（キャリッジ主走査方向）に移動走査する。
【００５４】
このキャリッジ２３３には、イエロー（Ｙ）、シアン（Ｃ）、マゼンタ（Ｍ）、ブラック（Ｋ）の各色のインク滴を吐出するための本発明に係る液体吐出ヘッドと同ヘッドに供給するインクを収容するタンクを一体化した記録ヘッド２３４を搭載している。記録ヘッド２３４は、複数のノズルからなるノズル列を主走査方向と直交する副走査方向に配列し、インク滴吐出方向を下方に向けて装着している。
【００５５】
記録ヘッド２３４は、それぞれ２つのノズル列を有する。そして、一方の記録ヘッド２３４ａの一方のノズル列はブラック（Ｋ）の液滴を、他方のノズル列はシアン（Ｃ）の液滴を吐出する。また、他方の記録ヘッド２３４ｂの一方のノズル列はマゼンタ（Ｍ）の液滴を、他方のノズル列はイエロー（Ｙ）の液滴を吐出する。なお、ここでは２ヘッド構成で４色の液滴を吐出する構成としているが、１ヘッド当たり４ノズル列配置とし、１個のヘッドで４色の各色を吐出させることもできる。
【００５６】
また、記録ヘッド２３４のタンク２３５には各色の供給チューブ２３６を介して、供給ユニットによって各色のインクカートリッジ２１０から各色のインクが補充供給される。
【００５７】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向する分離パッド２４４を備えている。
【００５８】
そして、この給紙部から給紙された用紙２４２を記録ヘッド２３４の下方側に送り込むために、用紙２４２を案内するガイド２４５と、カウンタローラ２４６と、搬送ガイド部材２４７と、先端加圧コロ２４９を有する押さえ部材２４８とを備えている。さらに、給送された用紙２４２を静電吸着して記録ヘッド２３４に対向する位置で搬送するための搬送手段である搬送ベルト２５１を備えている。
【００５９】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、図示しない副走査モータによってタイミングを介して搬送ローラ２５２が回転駆動されることによってベルト搬送方向に周回移動する。
【００６０】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００６１】
また、装置本体の背面部には両面ユニット２７１が着脱自在に装着されている。この両面ユニット２７１は搬送ベルト２５１の逆方向回転で戻される用紙２４２を取り込んで反転させて、再度、カウンタローラ２４６と搬送ベルト２５１との間に給紙する。また、この両面ユニット２７１の上面は手差しトレイ２７２としている。
【００６２】
さらに、キャリッジ２３３の走査方向一方側の非印字領域には、記録ヘッド２３４のノズルの状態を維持し、回復するための維持回復機構２８１を配置している。
【００６３】
この維持回復機構２８１には、記録ヘッド２３４の各ノズル面をキャピングするための各キャップ部材（以下「キャップ」という。）２８２ａ、２８２ｂ（区別しないときは「キャップ２８２」という。）を備えている。また、維持回復機構２８１は、ノズル面をワイピングするためのブレード部材であるワイパーブレード２８３を備えている。また、維持回復機構は２８１は、増粘した記録液を排出するために記録に寄与しない液滴を吐出させる空吐出を行うときの液滴を受ける空吐出受け２８４などを備えている。
【００６４】
また、キャリッジ２３３の走査方向他方側の非印字領域には、記録中などに増粘した記録液を排出するために記録に寄与しない液滴を吐出させる空吐出を行うときの液滴を受ける空吐出受け２８８を配置している。この空吐出受け２８８には記録ヘッド２３４のノズル列方向に沿った開口部２８９などを備えている。
【００６５】
このように構成したこの画像形成装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送される。更に、用紙２４２は、先端を搬送ガイド２３７で案内されて先端加圧コロ２４９で搬送ベルト２５１に押し付けられ、略９０°搬送方向を転換される。
【００６６】
そして、帯電した搬送ベルト２５１上に用紙２４２が給送されると、用紙２４２が搬送ベルト２５１に吸着され、搬送ベルト２５１の周回移動によって用紙２４２が副走査方向に搬送される。
【００６７】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００６８】
このように、この画像形成装置では、本発明に係る液体吐出ヘッドを記録ヘッドとして備えるので、高画質画像を安定して形成することができる。
【００６９】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００７０】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００７１】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００７２】
また、「画像」とは平面的なものに限らず、立体的に形成されたものに付与された画像、また立体自体を三次元的に造形して形成された像も含まれる。
【００７３】
また、画像形成装置には、特に限定しない限り、シリアル型画像形成装置及びライン型画像形成装置のいずれも含まれる。
【符号の説明】
【００７４】
１  ノズル板
２  流路板
３  振動板部材
４  ノズル
５  個別流路
６  個別液室
８  液導入部
９  フィルタ部
９Ａ  フィルタ領域
１０  共通液室
１２  圧電部材
２０  フレーム部材
８０  傾斜面
８５  凹部
２３３  キャリッジ
２３４ａ、２３４ｂ  記録ヘッド
【図１】
2014172259.tif 000003
【図２】
2014172259.tif 000004
【図３】
2014172259.tif 000005
【図４】
2014172259.tif 000006
【図５】
2014172259.tif 000007
【図６】
2014172259.tif 000008
【図７】
2014172259.tif 000009
【図８】
2014172259.tif 000010
【図９】
2014172259.tif 000011
【図１０】
2014172259.tif 000012
【図１１】
2014172259.tif 000013
【図１２】
2014172259.tif 000014